(57)【要約】【課題】ユーザが簡単に撮影地点を知ることができ、且つ画像を見やすく表示することができるカメラ及びカメラの画像表示方法を提供することである。【解決手段】このカメラに於いては、ＧＰＳ部１４によってカメラの撮影を行う撮影位置が検出される。一方で、主なランドマーク位置情報とその名称を検索エンジン部１３により上記撮影位置に近いランドマークを検索し、上記撮影画像及び検索された上記ランドマークを含む地図情報が表示部１７に表示される。【選択図】図８
2011120243.tif 000002
【特許請求の範囲】
【請求項１】
撮影位置と、近くのランドマークを地図上に同時表示する機能を有するカメラに於いて、
画像を撮影する撮影手段と、
上記画像の撮影位置に関するデータを受信し、この受信したデータから撮影位置を取得する撮影位置検出手段と、
ランドマーク位置情報とその名称を有するデータベースから、上記撮影位置に近いランドマークとその位置を検索するランドマーク検索手段と、
上記撮影された画像が縦構図であるか否かを判定する撮影画像構図判定手段と、
上記撮影画像構図判定手段で縦構図ではないと判定された場合には、更に、上記検出した撮影位置とランドマークを結ぶ線の並び方向を判定する方向判定手段と、
上記方向判定手段で判定された並び方向が上記地図を表示する長手方向となるように、上記撮影された画像と上記地図の表示レイアウトを切り替え、上記撮影画像構図判定手段で縦構図であると判定された場合には、上記撮影された画像と上記地図を横並びに表示するように表示レイアウトを切り替える表示切り替え手段と、
を具備することを特徴とするカメラ。
【請求項２】
上記方向判定手段は、上記撮影位置とランドマーク位置が東西方向に並んでいるか、南北方向に並んでいるかを判定することを特徴とする請求項１に記載のカメラ。
【請求項３】
上記表示切り替え手段は、上記方向判定手段で撮影位置とランドマーク位置が東西方向に並んでいると判定した場合は、上記撮影位置とランドマーク位置が東西方向になるように表示し、上記撮影位置とランドマーク位置が南北方向に並んでいると判定した場合は、上記撮影位置とランドマーク位置が南北方向になるように表示するように表示レイアウトを切り替えることを特徴とする請求項２に記載のカメラ。
【請求項４】
主なランドマーク位置情報と複数の縮尺から成る地図を有するデータベースと、上記撮影位置に近いランドマークの位置より上記地図の縮尺を決定する決定手段とを更に具備することを特徴とする請求項１に記載のカメラ。
【請求項５】
上記切り替え手段は、上記表示される地図の縮尺を上記ランドマークに応じて切り替え制御することを特徴とする請求項４に記載のカメラ。
【請求項６】
撮影位置と、近くのランドマークを地図上に同時表示する機能を有するカメラの画像表示方法であって、
画像を撮影し、
上記画像の撮影位置に関するデータを受信して撮影位置を取得し、
ランドマーク位置情報とその名称を有するデータベースから、上記撮影位置に近いランドマークとその位置を検索し、
上記撮影された画像が縦構図であるか否かを判定し、
上記撮影画像構図判定手段で縦構図ではないと判定された場合には、更に、上記撮影位置とランドマークを結ぶ線の並び方向を判定し、
上記方向判定手段で判定された並び方向が上記地図を表示する長手方向となるように、上記撮影された画像と上記地図の表示レイアウトを切り替え、
上記撮影画像構図判定手段で縦構図であると判定された場合には、上記撮影された画像と上記地図を横並びに表示するように表示レイアウトを切り替えることを特徴とするカメラの画像表示方法。
【発明の詳細な説明】
【技術分野】
【０００１】
本発明は、撮影した画像に撮影位置の地図情報を記録するためのカメラに関し、より詳細には、デジタル画像を有効に利用して、旅行等の撮影場所と画像を見やすく表示することができるカメラに関するものである。
【背景技術】
【０００２】
近年、衛星を用いたグローバルポジショニングシステム（ＧＰＳ）を使用した測位により、現在地点の位置情報を入手する位置検出手段を用いてカーナビゲーションシステムや携帯電話でのナビゲーションシステムが発達している。そして、このようなシステムを用いて、例えば、撮影地点と撮影を行う方向から撮影物を特定して、撮影された画像データが何処で撮影されたものか、またどの方向に向かって撮影されたものかを容易に確認可能とした技術が知られている（例えば、特許文献１参照）。
【０００３】
また、下記特許文献２には、ランドマークの混み具合によって地図表示の縮尺を切り替える技術が開示されており、同様の考え方をナビゲーションに適用している例も知られている（例えば、特許文献３参照）。
【特許文献１】特開２００５−３９７０２号公報
【特許文献２】特開２００２−１３１０７０号公報
【特許文献３】特開２００２−７１３６８号公報
【発明の開示】
【発明が解決しようとする課題】
【０００４】
しかしながら、上述した特許文献１に記載の技術に対して、実際に旅行等に行くと、複雑な機構のカメラであるよりも簡単な小型軽量のカメラである方が重要であり、また、撮影対象が何であるかということよりも、自分の居場所がどのあたりであったかという情報を知りたい場合が多い。
【０００５】
また、上記特許文献２に記載の装置では、ランドマークの混み具合によって地図表示の縮尺を切り替える旨が記載されているが、撮影ポイントというカメラ技術ならではの機会が含まれていないものであった。すなわち、位置のみでは撮影ポイントが一目してわからない、ということが起きていた。
【０００６】
更に、上記特許文献３に記載の装置では、上述した特許文献２と同様の考え方をナビゲーションに適用しているだけであり、やはり撮影ポイントについては記載されていないものであった。
【０００７】
本発明は上記課題に鑑みてなされたものであり、ユーザが簡単に撮影地点を知ることができ、且つ画像を見やすく表示することができるカメラ及びカメラの表示方法を提供することを目的とする。
【課題を解決するための手段】
【０００８】
すなわち請求項１に記載の発明は、画像を撮影する撮影手段と、上記画像の撮影位置に関するデータを受信し、この受信したデータから撮影位置を取得する撮影位置検出手段と、ランドマーク位置情報とその名称を有するデータベースから、上記撮影位置に近いランドマークとその位置を検索するランドマーク検索手段と、  上記撮影された画像が縦構図であるか否かを判定する撮影画像構図判定手段と、上記撮影画像構図判定手段で縦構図ではないと判定された場合には、更に、上記検出した撮影位置とランドマークを結ぶ線の並び方向を判定する方向判定手段と、上記方向判定手段で判定された並び方向が上記地図を表示する長手方向となるように、上記撮影された画像と上記地図の表示レイアウトを切り替え、上記撮影画像構図判定手段で縦構図であると判定された場合には、上記撮影された画像と上記地図を横並びに表示するように表示レイアウトを切り替える表示切り替え手段と、を具備することを特徴とする。
【０００９】
請求項２に記載の発明は、請求項１に記載の発明に於いて、上記方向判定手段は、上記撮影位置とランドマーク位置が東西方向に並んでいるか、南北方向に並んでいるかを判定することを特徴とする。
【００１０】
請求項３に記載の発明は、請求項２に記載の発明に於いて、上記表示切り替え手段は、上記方向判定手段で撮影位置とランドマーク位置が東西方向に並んでいると判定した場合は、上記撮影位置とランドマーク位置が東西方向になるように表示し、上記撮影位置とランドマーク位置が南北方向に並んでいると判定した場合は、上記撮影位置とランドマーク位置が南北方向になるように表示するように表示レイアウトを切り替えることを特徴とする。
【００１１】
請求項４に記載の発明は、請求項１に記載の発明に於いて、主なランドマーク位置情報と複数の縮尺から成る地図を有するデータベースと、上記撮影位置に近いランドマークの位置より上記地図の縮尺を決定する決定手段とを更に具備することを特徴とする。
【００１２】
請求項５に記載の発明は、請求項４に記載の発明に於いて、上記切り替え手段は、上記表示される地図の縮尺を上記ランドマークに応じて切り替え制御することを特徴とする。
【００１３】
請求項６に記載の発明は、画像を撮影し、上記画像の撮影位置に関するデータを受信して撮影位置を取得し、ランドマーク位置情報とその名称を有するデータベースから、上記撮影位置に近いランドマークとその位置を検索し、上記撮影された画像が縦構図であるか否かを判定し、上記撮影画像構図判定手段で縦構図ではないと判定された場合には、更に、上記撮影位置とランドマークを結ぶ線の並び方向を判定し、上記方向判定手段で判定された並び方向が上記地図を表示する長手方向となるように、上記撮影された画像と上記地図の表示レイアウトを切り替え、上記撮影画像構図判定手段で縦構図であると判定された場合には、上記撮影された画像と上記地図を横並びに表示するように表示レイアウトを切り替えることを特徴とする。
【発明の効果】
【００１４】
本発明によれば、ユーザが簡単に撮影地点を知ることができ、且つ画像を見やすく表示することができるカメラ及びカメラの画像表示方法を提供することができる。
【発明を実施するための最良の形態】
【００１５】
以下、図面を参照して本発明の実施形態を説明する。
【００１６】
（第１の実施形態）   図１は、本発明の第１の実施形態によるカメラの構成を示すブロック図である。
【００１７】
図１に於いて、マイクロコントローラ（ＣＰＵ）１１は、カメラ全体の制御動作を司る制御手段である。このＣＰＵ１１は、スイッチ１８ａの操作状態を判定して、ユーザが所望とするカメラ動作を所定のシーケンスに従って、後述する各ブロックを制御することによって実行する。ＣＰＵ１１には、撮影部１２と、検索エンジン部１３と、メモリ１６と、表示部１７及び操作スイッチ１８ａを含む操作部１８とが接続されている。尚、ＣＰＵ１１は、制御手段の他、表示制御手段、決定手段、切り替え手段、読み出し手段の機能を有している。
【００１８】
上記撮影部１２はカメラの撮影用の機能を有するもので、撮影レンズや撮像素子、画像処理回路等が含まれており、ＣＰＵ１１からの撮影動作命令によって撮影シーケンスが実行されるものである。この撮影結果は、ＣＰＵ１１を介してメモリ１６に記録されると共に、表示部１７に表示される。この表示部１７は、例えば２．５〜３インチの液晶ディスプレイ（ＬＣＤ）を有して構成される。ＬＣＤは、近年ユーザの要望から大型化して画像がみやすくなってきているもので、大型液晶であれば情報量が多いので、１つの画面だけでなく、複数の画面を表示するような状況にも耐えられるようになってきている。
【００１９】
また、ＧＰＳ部１４は位置検出手段であり、図示されない衛星からの電波による位置信号を受信して、緯度、経度情報信号を形成するものである。カーナビゲーションシステムで普及し、近年は携帯電話器のナビゲーション仕様にて、より多くの人達に身近になった技術である。この位置情報から、これらのナビゲーションシステムを構築するには、地図上の道路や建物を位置情報としてデータベース化したものが必要である。  
【００２０】
しかしながら、本発明では、ナビゲーションを行うのが目的でないので、データベース１５は大まかに数段階に階層分けされた地図情報のみを有していればよい。各階層は、例えば、世界地図、全国の何処に撮影位置が対応するかという最も大まかなものから、市町村単位で表示が可能な詳細なものまでに対応しており、各階層によってその縮尺が異なっている。ＧＰＳ情報と、このデータベース１５を利用して、ユーザが何処で撮影したのかを検索するのが検索手段である検索エンジン部１３である。
【００２１】
尚、操作部１８は、上述した操作スイッチ１８ａを含むもので、カメラの各種モードの選択、決定や検索を指示する操作、後述する表示画面の選択の操作等を行うためのもので、選択手段に相当する。
【００２２】
このような構成のカメラでは、その位置検出機能によって、撮影場所の特定や地図表示、検索等が応用として考えられる。
【００２３】
例えば、図２（ａ）に示されるように、表示部１７のＬＣＤ２５に表示された画像だけでは、何処に行った時の写真かわからない。しかしながら、本発明のカメラでは、表示方法を切り替えて、例えば、図２（ｂ）に示されるように、ＬＣＤ２５の表示を分割し、画面２５ａの部分に撮影画像を、画面２５ｂの部分に地図を、そして、画面２５ｃの部分に撮影場所を表示することが可能となる。これによって、ユーザやその画像を鑑賞する人は、何処で撮影したかを理解することができ、いろいろなことを想起しつつ、画像を楽しむことが可能となる。
【００２４】
但し、このような楽しみ方も、地図が表示されている画面２５ｂ上に、多くの人が知っている地名がなく、図２（ｃ）に示される画面２５ｂのように、単に道の様子が表示されるだけであれば、誰にも意味のない情報になってしまう。本発明は、そのようなことがないように、必ず、多くの人が知っている駅や建物が公園、施設等を地図上に表示することができるようにして、多くの人が撮影画像を楽しめるようにしている。
【００２５】
このような仕様のカメラは、図３に示されるようなシーケンスに従って、ＣＰＵ１１がデータベース１５を切り替えたりＬＣＤ２５の表示方法を切り替えたりすることによって、図２（ｃ）に示されるような意味不明な地図ではなく、図２（ｂ）に示されるように、情報量が適切な地図を常に表示することができるようになる。
【００２６】
図３は、本発明の第１の実施形態に従ったカメラの動作について説明するためのフローチャートである。
【００２７】
先ず、ステップＳ１に於いて、カメラが写真撮影（撮影モード）のシーケンスを実行するか否かが判定される。ここで、写真撮影が行われる場合はステップＳ２へ移行し、そうでない場合は後述するステップＳ２１へ移行する。
【００２８】
写真撮影が行われる場合は、ステップＳ２にてピント合わせが行われ、続くステップＳ３にて露出制御が行われる。次いで、ステップＳ３にて露出制御が行われると、ステップＳ４にて撮影処理が行われる。この撮影処理により、上述した撮像素子に取り込まれた被写体の画像が電気信号に変換され、更にステップＳ５にてデジタル的に処理された画像が圧縮されてメモリ１６に記録される。そして、ステップＳ６にてＧＰＳ部１４からの信号入力が行われて、検索エンジン部１３により、撮影位置の位置情報が検索される。
【００２９】
次に、上記ステップＳ６によるＧＰＳの検出結果がＯＫか否かが判定される。ここで、ＧＰＳ情報が電波状況等により得られない場合は、ステップＳ８に移行して、前回ＧＰＳ部１４により得られていた情報が代用される。また、上記ステップＳ７にて、ＧＰＳの検出結果がＯＫであれば、ステップＳ８をスキップする。
【００３０】
ところで、このようにして得られた撮影位置の位置情報に対し、縮尺の異なる地図からなる異なる階層のデータベースの中から、どの地図を採用して地図表示するかを決定しなければならない。これは、あまりにも縮尺が大きすぎると、図２（ｃ）に示される画面２５ｂのように、道路や空地ばかりの地図となってしまい、撮影位置２７の情報を知ることができず、ユーザにとっては意味のない表示となってしまうからである。したがって、こうした場合には、より縮尺を小さくして、撮影位置の周囲の様子をわかりやすく表示する必要がある。
【００３１】
したがって、ステップＳ９では、最も縮尺の小さい地図を収めた階層の地図を表す“ｎ＝５”が操作部１８によって選択され、続くステップＳ１１にてデータベース１５の中から撮影位置が検索される。ここで、ステップＳ１１に於いて、地図画面内にランドマークが有るか否かが判定される。その結果、ランドマークが存在すれば、そのときの地図（この場合、ｎ＝５の階層）が、ステップＳ１４に於いて表示される。しかしながら、上記ステップＳ１１にて、この地図が、図２（ｃ）に示される画面２５ｂのようなもので、撮影位置２７と同一画面内にランドマークが含まれていないものであればステップＳ１２に移行する。
【００３２】
ステップＳ１２では、階層を示す値ｎが判定される。ここで、“ｎ＝１”が世界地図全体レベルなので、これ未満にはできない。また、地球上で利用する場合はｎを１より小さくする必要もない。そのため、ステップＳ１２にて“ｎ＝１”であれば、ステップＳ１４に移行し、“ｎ＞１”であればステップＳ１３に移行してｎの値がデクリメントされた後、上記ステップＳ１０へ移行する。すなわち、上記ステップＳ１１にてランドマークが有ると判定されるまで、ステップＳ１２及びＳ１３によって、地図の縮尺が１段階ずつ小さくされる。
【００３３】
こうして、ステップＳ１４にて、図２（ｂ）に示されるように、ランドマーク２８が撮影位置２７と共に示された地図がＬＣＤ２５に表示される。そして、続くステップＳ１５に於いて、その地図表示がユーザの好みに合うか否かが判定される。ここでは、例えば操作部１８によるユーザの操作によって判定されるもので、ＯＫならばステップＳ１６へ移行し、そうでなければステップＳ１９へ移行する。
【００３４】
ステップＳ１５にて表示された地図でＯＫであれば、ステップＳ１６に移行して、地図の表示中心の切り替えや、シフト制御するか否かが判定される。その結果、現在の表示で良ければ、ステップＳ１８に移行して撮影された画像にこの地図画像が添付される。その後、本シーケンスが終了する。一方、地図の表示状態が不満であれば、ステップＳ１７へ移行する。このステップＳ１７では、表示された地図の中心ずらし等シフト等の操作が行われる。その後、上記ステップＳ１６へ移行する。
【００３５】
また、敢えてランドマーク表示が必要でない場合や、もっと大きな地図の中で見たい場合等は、ステップＳ１９及びＳ２０にて、階層切り替えができるようにしている。すなわち、ステップＳ１９にて、表示された地図の階層と異なる場合は、ステップＳ２０へ移行して階層が切り替えられた後、上記ステップＳ１４へ移行する。更に、地図情報を添付しなくて良い場合は、ステップＳ１９からステップＳ２１へ移行して、その旨の処理が行われる。その後、本シーケンスが終了する。
【００３６】
上記ステップＳ１に於いて、撮影モード以外の処理が行われる場合は、ステップＳ２２に移行してＧＰＳの検出が行われる。ここでは、ＧＰＳ部１４が作動されて、随時位置の検出が行われる。その結果、ステップＳ２３にて検出不可能と判定された場合は、上述したステップＳ７〜Ｓ８と同様に、前回の結果が参照される。このように、極力、ユーザの動きに従って位置判定がなされるようにしている。
【００３７】
そして、ステップＳ２５にて、ユーザがカメラを再生モードに設定したか否かが判定される。ここで、再生モードに設定された場合はステップＳ２６へ移行し、そうでない場合は上記ステップＳ１へ移行する。ステップＳ２６では、画像検索を行うか否かが判定される。画像検索を行う場合は、ステップＳ２７に移行して、その検索により得られた画像が表示される。一方、画像検索が行われない場合は、ステップＳ２８に移行して、前回撮影された写真（画像）が表示される。
【００３８】
次に、ステップＳ２９に於いて、ユーザによる地図表示を行うか否かが判定される。ここでは、ユーザが操作部１８を操作することによって、写真のみ表示するか、写真と地図の両方を表示するかが決定される。写真と地図の両方を表示したい場合は、ユーザによる所定の操作が行われて、続くステップＳ３０にて画像に地図添付が有るか否かが判定される。そして、地図添付が有る場合は、ステップＳ３１に移行して、図２（ｂ）に示されるように、ＬＣＤ２５の画面が分割されて写真と共に地図表示が行われる。また、ステップＳ３０にて、地図添付がない場合には、画像に文字（地名）だけは関連付けるようにしておき、ステップＳ３２に移行して地名表示が行われるようにする。一方、上記ステップＳ２９にて、地図表示されない旨が操作された場合は、図２（ａ）に示されるような写真のみＬＣＤ２５に表示されるものとなり、上述したステップＳ３０〜Ｓ３２はスキップする。
【００３９】
ステップＳ３３では、ＬＣＤ２５に表示された画像を変更するか否かが判定される。ユーザが別の画像を見たい場合には、操作部１８の操作に従って上記ステップＳ２６へ移行し、再度画像の検索が行われる。また、表示された画像が変更されない場合は、ステップＳ３４に移行して、画像の表示を終了するか否かが判定される。その結果、まだ表示を終了しない場合には上記ステップＳ３３へ移行し、表示終了時には、ステップＳ３５へ移行して、ＬＣＤ２５への表示終了処理が行われる。そして、本シーケンスが終了する。
【００４０】
以上説明したように、第１の実施形態によれば、ランドマークと撮影位置を同一画面内の地図上に同時に表示するので、撮影画像がどこのシーンであるかを多くの人がすぐに理解し、イメージをふくらませ、楽しい鑑賞をすることが可能なカメラを提供することができる。
【００４１】
また、状況に応じて地図の縮尺を変更することができるので、細かい地名よりも、より広域的な地名、国名等を認識しやすいように最適表示を選択することが可能となる。
【００４２】
（第２の実施形態） 次に、本発明の第２の実施形態について説明する。
【００４３】
上述した第１の実施形態では、撮影位置とランドマークが同一画面上の地図に示されるようにして地図の縮尺を決定していたが、この第２の実施形態では、先ずランドマークと撮影位置との距離差を求め、その距離差によって地図の縮尺を求めるものである。
【００４４】
尚、以下に述べる第２の実施形態に於いては、カメラの構成及び基本的な動作については、図１乃至図３に示される第１の実施形態のカメラの構成及び動作と同じであるので、これらの構成及び動作については、同一の部分には同一の参照番号を付して、その図示及び説明は省略するものとし、異なる動作の説明についてのみ説明する。
【００４５】
図４は、本発明の第２の実施形態に従ったカメラの動作について説明するためのフローチャートである。但し、本フローチャートに於いて、ステップＳ４１〜Ｓ４８及びステップＳ５９〜Ｓ７２の処理動作は、上述した第１の実施形態の図３のフローチャートのステップＳ１〜Ｓ８及びステップＳ２２〜Ｓ３５の処理動作と同じであるので、説明の重複を避けるため、それぞれ対応するステップの処理動作を行うものとしてここでの説明は省略する。
【００４６】
ステップＳ４１〜Ｓ４８の処理動作が行われると、次にステップＳ４９にて、撮影時のＧＰＳ情報がＧＰＳＰ（詳しくは緯度と経度の情報）として設定される。そして、ステップＳ５０にて、検索エンジン部１３によって、データベース１５が有するその付近のランドマーク検索が行われる。これにより、同様にＧＰＳ情報として検出され、これがＧＰＳＬとして設定される。
【００４７】
次いで、ステップＳ５１にて、上述したＧＰＳＰとＧＰＳＬの差が距離ＬとしてＣＰＵ内で算出される。そして、続くステップＳ５２にて、上記ステップＳ５１で算出された距離Ｌより縮尺が決定される。例えば、その距離差が１ｋｍであるとすると、約１ｃｍの距離以内の差としてＬＣＤ２５に表示する時は（それより大きいと地図よりはみ出すので）、１／１００００００以上に縮小した地図が選択されて表示される。
【００４８】
このように決定された縮尺の地図が、ステップＳ５３にて表示される。このとき、図２（ｂ）に示されるように、撮影画像（画面２５ａ）地図（画面２５ｂ）とを並べて表示するようにして、ユーザが互いに参照して鑑賞できるようにする。そして、ステップＳ５４に於いて、このような表示で良いか否かが、ユーザによって判定される。  
【００４９】
ここで、判定の結果がＯＫであるという操作があった場合には、ステップＳ５５に移行して、撮影された画像と上記ステップＳ５４でＯＫとされた地図が関連付けて記録される。尚、ここでは、これを「地図添付」として表現している。その後、ステップＳ５６に移行して、上記ステップＳ５５で「地図添付」された画像と地図を示すファイル名が、ランドマークの名称で画像管理される。この後、本シーケンスが終了する。
【００５０】
また、上記ステップＳ５４でＯＫでない場合は、ステップＳ５７に移行して、地図情報が不要であるか否かが判定される。ここで、不要であると判定された場合には、地図添付は行われずに本シーケンスが終了する。一方、別の地図にしたい場合には、ステップＳ５８に移行して、別のランドマークが検索された後、上記ステップＳ５１に移行する。これによって、ユーザが所望としない場合は、撮影画像が別のランドマークと同時表示することができる仕様となる。
【００５１】
以上説明したように、第２の実施形態によれば、２つのＧＰＳ情報を距離の形に計算する機能によって、迅速に最適な縮尺での地図表示が可能となる。
【００５２】
また、ユーザが所望としないランドマークが選択された場合は、即座に別の候補を選択して、そのランドマーク名によって画像がファイル管理されるので、撮影後に写真が溜まった後の画像検索も容易となる。
【００５３】
（第３の実施形態）   次に、本発明の第３の実施形態について説明する。
【００５４】
この第３の実施形態は、上述した第１及び第２の実施形態のように、撮影時に地図を関連付けるのではなく、あくまで撮影時にはＧＰＳ情報のみを添付するようにしている。
【００５５】
尚、以下に述べる第３の実施形態に於いては、カメラの構成及び基本的な動作については、図１乃至図４に示される第１及び第２の実施形態のカメラの構成及び動作と同じであるので、これらの構成及び動作については、同一の部分には同一の参照番号を付して、その図示及び説明は省略するものとし、異なる動作の説明についてのみ説明する。
【００５６】
図５は、本発明の第３の実施形態に従ったカメラの動作について説明するためのフローチャートである。但し、本フローチャートに於いて、ステップＳ８１〜Ｓ８８及びステップＳ９０〜Ｓ９３の処理動作は、上述した第１の実施形態の図３のフローチャートのステップＳ１〜Ｓ８及びステップＳ２２〜Ｓ２５の処理動作と同じであるので、説明の重複を避けるため、それぞれ対応するステップの処理動作を行うものとしてここでの説明は省略する。
【００５７】
ステップＳ８１〜Ｓ８８の処理動作が行われると、続くステップＳ８９にて、撮影された画像に対応付けてＧＰＳ情報のみが添付されてメモリ１６に記録される。その後、本シーケンスが終了する。
【００５８】
また、撮影モード以外の場合は、ステップＳ９０〜Ｓ９３の処理動作が行われた後、すてと９４に移行する。このステップＳ９４では、撮影された画像が選択されてＬＣＤ２５に表示される。すると、続くステップＳ９５にて、その画像に添付されたＧＰＳ情報がカメラのＣＰＵ１１によって呼び出される。そして、続くステップＳ９６及びＳ９７にてプリセットされた値Ｘ（半径）、ｎ（階層）によって、ステップＳ９８に於いて、その撮影位置を中心に所定半径内のＧＰＳ情報を有するランドマークが、検索エンジン部１３によってデータベース１５から検索される。
【００５９】
ここで、所定半径は、ステップＳ９６でプリセットされたように、最初はＸ＝５００ｍである。しかしながら、ステップＳ９８にて撮影位置から半径Ｘｍ以内にランドマークが無いと判定された場合は、ステップＳ９９及びＳ１００に移行して、階層が１つずつ大きくなると共に、半径Ｘも１０００ｍ、２０００ｍ、４０００ｍ、…と変化して検索範囲が拡大されていく。
【００６０】
こうして、ステップＳ９８にてランドマークが見つかった時点で、ステップＳ１０１に移行して、ランドマークが含まれる範囲の地図が画像と共にＬＣＤ２５に表示されるようになる。
【００６１】
以上説明したように、第３の実施形態によれば、ランドマークと撮影位置を示す地図情報そのものを添付する必要がなく、ファイルサイズを小さくすることができる。
【００６２】
（第４の実施形態）   次に、本発明の第４の実施形態について説明する。
【００６３】
上述した第１乃至第３の実施形態では、ＬＣＤ２５に表示される地図の方向については特に指定していない。これに対し、本第４の実施形態では、地図上のランドマークと撮影ポイントの並び方向が東西方向であるか南北方向であるかによって、ＬＣＤ２５上のレイアウトを切り替えるようにしている。
【００６４】
尚、以下に述べる第４の実施形態に於いては、カメラの構成及び基本的な動作については、図１乃至図５に示される第１乃至第３の実施形態のカメラの構成及び動作と同じであるので、これらの構成及び動作については、同一の部分には同一の参照番号を付して、その図示及び説明は省略するものとし、異なる動作の説明についてのみ説明する。
【００６５】
図６（ａ）に示されるように、ランドマーク２８と撮影位置２７が、図面で左右方向となる東西方向に並んでいる場合には、画面の長手方向を横にして地図表示させるようにする。つまり、図中画面２５ｂ1 のように地図を表示させて、画面２５ａ1 の部分に撮影画像を表示させる。これに対して、ランドマーク２８と撮影位置２７が、図面で上下方向となる南北方向にある場合には、画面の長手方向を縦にして地図表示させるようにする。したがって、図６（ｂ）の画面２５ｂ2 のように地図表示させるようにする。尚、画面２５ａ2 は撮影画面である。
【００６６】
また、撮影画面が縦構図の場合は、長手方向が横方向であるＬＣＤ２５上では比較的大きな範囲で地図表示ができるので、図７に示される画面２５ａ3 、２５ｂ3 のように、撮影画像と地図画像を並べるようにしている。
【００６７】
このようなレイアウト上の工夫をするための地図表示の動作について、図８のフローチャートを参照して説明する。
【００６８】
地図表示のシーケンスが開始されると、先ず、ステップＳ１１１にて、カメラの撮影位置のＧＰＳ情報ＧＰＳＰが求められる。次いで、ステップＳ１１２にて、撮影位置付近のランドマーク位置を示すＧＰＳ情報ＧＰＳＬが求められる。そして、ステップＳ１１３に於いて、撮影画像が縦構図であるか否かが判定される。その結果、縦構図であれば、ステップＳ１１７に移行して、図７に示されるような並列形式の表示が選択される。一方、縦構図でない場合は、ステップＳ１１４に移行する。
【００６９】
ステップＳ１１４では、撮影位置ＧＰＳＰとランドマーク位置ＧＰＳＬが東西方向に並んでいるか、南北方向に並んでいるかが判定される。ここで、両者が東西方向に並んでいる場合は、ステップＳ１１５に移行して、図６（ａ）に示されるような表示状態が選択される。この場合、図中ＬEWが撮影位置２７とランドマーク２８の方向が東西方向であることを表している。一方、撮影位置とランドマーク位置が南北方向に並んでいる場合は、ステップＳ１１６に移行して、図６（ｂ）に示されるような表示状態が選択される。この場合、図中ＬNSが撮影位置２７とランドマーク２８の方向が南北方向であることを表している。
【００７０】
その後、ステップＳ１１８では、上記ステップＳ１１５〜Ｓ１１７にて選択された何れかの表示形式に従って撮影画像と地図の表示が行われる。
【００７１】
このように、第４の実施形態によれば、地図表示と撮影画像の表示を、狭い範囲で大きくわかりやすく行うことができるので、ユーザは画像と地図を見ながら、様々な情報を得て、種々のイマジネーションをふくらませた鑑賞をすることができる。
【００７２】
以上説明したように本発明によれば、ユーザが旅行等で撮影を楽しんだ時に、その写真を何処で撮影したかを簡単に把握することができ、また、他の人に見せる時等に、その時の状況を説明しやすい画像を生成することができるデジタルカメラを提供することが可能となる。
【００７３】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【００７４】
【図１】本発明の第１の実施形態によるカメラの構成を示すブロック図である。
【図２】カメラのＬＣＤ２５に表示される例を示したもので、（ａ）は撮影画像のみ表示した例を示した図、（ｂ）は撮影画像と地図及び撮影場所を表示した例を示した図、（ｃ）は撮影画像と地図を表示した例を示した図である。
【図３】本発明の第１の実施形態に従ったカメラの動作について説明するためのフローチャートである。
【図４】本発明の第２の実施形態に従ったカメラの動作について説明するためのフローチャートである。
【図５】本発明の第３の実施形態に従ったカメラの動作について説明するためのフローチャートである。
【図６】本発明の第４の実施形態を説明するもので、（ａ）はランドマーク２８と撮影位置２７が東西方向に並んでいる場合の画面の表示例示した図、（ｂ）はランドマーク２８と撮影位置２７が南北方向に並んでいる場合の画面の表示例示した図である。
【図７】本発明の第４の実施形態を説明するもので、縦構図の場合の画面の表示例を示した図である。
【図８】本発明の第４の実施形態に従ったカメラの地図表示動作について説明するためのフローチャートである。
【符号の説明】
【００７５】
１１…マイクロコントローラ（ＣＰＵ）、１２…撮影部、１３…検索エンジン部、１４…ＧＰＳ部、１５…データベース、１６…メモリ、１７…表示部、１８…操作部、２５、２５ａ、２５ｂ…画面、２７…撮影位置、２８…ランドマーク。
【図１】
2011120243.tif 000003
【図２】
2011120243.tif 000004
【図３】
2011120243.tif 000005
【図４】
2011120243.tif 000006
【図５】
2011120243.tif 000007
【図６】
2011120243.tif 000008
【図７】
2011120243.tif 000009
【図８】
2011120243.tif 000010